(57)【要約】      （修正有）【課題】強度の低下を少なくしたまま、簡単に継いだり外したりでき、持ち運びや収納の手間が少なくできる竹竿を提供する。【解決手段】竹竿を継いでなる杖１は、竹から節を含み成形される部分が複数継がれてなる先細形状の本体５と、一方の端部が継口２２において元上竿１２の内部にすげ込まれ、他方の端部が継口２１において元竿１１の内部に着脱自在に差し込み可能な筒状に形成される芯８１と、本体５および芯８１の内部を通ることで本体の各部分を連結し、本体を縮める向きに付勢する伸縮自在の紐９１とからなる。【選択図】図３
0003197892.tif 000002
【実用新案登録請求の範囲】
【請求項１】
竹から節を含み成形される部分が複数継がれてなる先細形状の本体と、
継口の一方の前記部分の内部にすげ込まれ、継口の他方の前記部分の内部に着脱自在に差し込み可能な筒状に形成される芯と、
前記本体および前記芯の内部を通ることで前記本体の各部分を連結し、前記本体を縮める向きに付勢する伸縮自在の紐と
からなる竹竿。
【請求項２】
請求項１に記載の竹竿において、
前記芯は、一方の前記部分の節の内部にすげ込まれている
竹竿。
【請求項３】
請求項１に記載の竹竿において、
前記芯は、他方の前記部分の内部に差し込まれたとき、他方の前記部分の節の内部に挿通する
竹竿。
【請求項４】
請求項１に記載の竹竿において、
前記本体の外側が漆塗りされている
竹竿。
【請求項５】
請求項１に記載の竹竿において、
前記本体の前記部分の部位のうち、内部に前記芯がすげ込まれるかまたは差し込まれる部位に蒔絵が施されている
竹竿。
【請求項６】
請求項１に記載の竹竿において、
前記本体の前記部分の部位のうち、内部に前記芯がすげ込まれるかまたは差し込まれる部位が繊維で補強されている
竹竿。
【請求項７】
請求項１に記載の竹竿において、
前記本体の元側である取手部に、複数の節を有する
竹竿。
【請求項８】
請求項１に記載の竹竿において、
前記芯は、アルミニウム合金で成形されている
竹竿。
【請求項９】
請求項１に記載の竹竿において、
前記本体の節に、樹脂が含浸されている
竹竿。
【請求項１０】
請求項１に記載の竹竿において、
杖である
竹竿。
【請求項１１】
請求項１に記載の竹竿において、
釣竿である
竹竿。
【考案の詳細な説明】
【技術分野】
【０００１】
本考案は竹竿に関し、特に、複数の部分が継がれてなる竹竿に関する。
【背景技術】
【０００２】
従来から、竹を継いで1本の竹竿として使用される釣竿が用いられている。このような、釣竿は、継ぎ目を外して、短くして、持ち運びされるか、または収納される。
【０００３】
また、竹を継いで竹竿で杖を作ることもできる。
【０００４】
従来、竹を本体とし、本体に補助筒を挿入し又本体の先端に、後端側断面を楕円形にし、先端付近の断面を横板形にした穂先を挿入できるようにして成り、しなやかに曲がる弾力性を有する複合竿が提案されている（例えば、特許文献１参照）。
【０００５】
また、支柱が３本以上の棒状の支柱部材に分別され、各支柱部材が伸縮性ゴム紐及び端部結合体によって一体化される木製折畳杖であって、支柱が無垢木材から成っており、且つ端部結合体が、支柱を分別した支柱部材の各端部に埋設固定され、互いに嵌合結合される嵌入体と嵌受体とから構成される対の嵌合体であり、しかも伸縮性ゴム紐は、支柱部材によって挟まれる中間支柱部材を貫通する細孔を通り、両端が両端支柱部材の位置で固着されていることを特徴とする木製折畳杖が提案されている（例えば、特許文献２参照）。
【０００６】
【先行技術文献】
【特許文献】
【０００７】
【特許文献１】実用新案登録第３１３３９８２号公報
【特許文献２】実用新案登録第３１５１０５９号公報
【考案の概要】
【考案が解決しようとする課題】
【０００８】
しかしながら、竹を継いで1本の竹竿として使用する場合、継ぎ目の強度が低下しやすい。また、竹を継いだり、外したりするのは、面倒である。さらに、一部分を紛失してしまうこともあるので、袋に入れたりバンドで括ったりして持ち運びしたり収納する必要があり、手間がかかる。
【０００９】
本考案は、このような状況に鑑みてなされたものであり、強度の低下をより少なくしたまま、より簡単に、継いだり、外したりでき、持ち運びや収納の手間がより少なくできるようにするものである。
【課題を解決するための手段】
【００１０】
本考案の一側面は、竹から節を含み成形される部分が複数継がれてなる先細形状の本体と、継口の一方の部分の内部にすげ込まれ、継口の他方の部分の内部に着脱自在に差し込み可能な筒状に形成される芯と、本体および芯の内部を通ることで本体の各部分を連結し、本体を縮める向きに付勢する伸縮自在の紐とからなる竹竿である。
【００１１】
本考案の一側面においては、筒状に形成される芯が継口の一方の部分の内部にすげ込まれ、継口の他方の部分の内部に着脱自在に差し込み可能なので、竹竿の強度の低下をより少なくすることができる。また、本体を縮める向きに付勢する伸縮自在の紐が、本体および芯の内部を通ることで本体の各部分を連結するので、竹から節を含み成形される部分をより簡単に、継いだり、外したりできる。さらに、紐により、部分を紛失してしまうことがないので、袋に入れたりバンドで括ったりする必要がない。このように、強度の低下をより少なくしたまま、より簡単に、継いだり、外したりでき、持ち運びや収納の手間がより少なくできる。
【００１２】
芯を、一方の部分の節の内部にすげ込むことができる。このようにすることで、強度の比較的高い節が力を受けるので、強度の低下をより少なくすることができる。
【００１３】
芯を、他方の部分の内部に差し込まれたとき、他方の部分の節の内部に挿通するようにできる。このようにすることで、強度の比較的高い節が力を受けるので、強度の低下をより少なくすることができる。
【００１４】
本体の外側を漆塗りすることができる。漆塗りにより強化されるので、継ぎ目の強度の低下をより少なくすることができる。本体の部分の部位のうち、内部に芯がすげ込まれるかまたは差し込まれる部位に蒔絵を施すことができる。蒔絵により装飾性を向上させることができる。
【００１５】
本体の部分の部位のうち、内部に芯がすげ込まれるかまたは差し込まれる部位を繊維で補強することができる。繊維で補強されるので、継ぎ目の強度の低下をより少なくすることができる。
【００１６】
本体の元側である取手部に、複数の節を配置できる。取手部の強度を増すと共に、節の凹凸により、滑りを止めることができる。
【００１７】
芯を、アルミニウム合金で成形することができる。より軽量にして、継ぎ目の強度の低下をより少なくすることができる。
【００１８】
本体の節に、樹脂を含浸させることができる。節は樹脂を吸い込みやすいので、樹脂によって補強をすることができ、継ぎ目の強度の低下をより少なくすることができる。
【００１９】
竹竿は杖として用いることができる。竹竿は釣竿として用いることができる。
【考案の効果】
【００２０】
以上のように、本考案の一側面によれば、強度の低下をより少なくしたまま、より簡単に、継いだり、外したりでき、持ち運びや収納の手間がより少なくできる。
【図面の簡単な説明】
【００２１】
【図１】継いだ状態の杖１の構成を示す外観図である。
【図２】杖１の内部の構成を示す図である。
【図３】継ぎ目を外した状態の杖１の構成を示す外観図である。
【図４】継ぎ目の構成を示す拡大図である。
【図５】継ぎ目の構成を示す拡大図である。
【考案を実施するための形態】
【００２２】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本考案の一側面は、竹から節を含み成形される部分が複数継がれてなる先細形状の本体（例えば、図２の本体５）と、継口の一方の部分の内部にすげ込まれ、継口の他方の部分の内部に着脱自在に差し込み可能な筒状に形成される芯（例えば、図２の芯８１）と、本体および芯の内部を通ることで本体の各部分を連結し、本体を縮める向きに付勢する伸縮自在の紐（例えば、図２のゴム紐９１）とからなる竹竿（例えば、図２の杖１）である。
【００２４】
本体の元側である取手部（例えば、図２の取手部３２）に、複数の節を配置できる。
【００２５】
以下、本考案の一実施の形態の杖１を図１乃至図５を参照して説明する。図１は、継いだ状態の杖１の構成を示す外観図である。図２は、杖１の内部の構成を示す図である。図３は、継ぎ目を外した状態の杖１の構成を示す外観図である。図４および図５は、継ぎ目の構成を示す拡大図である。
【００２６】
杖１は、竹竿の一例であり、手に持ち、地面を突いて身体を支えるのに使われる。使用されるとき、杖１は、複数の部分を継いで、1本の棒状にされる。使用されないとき、例えば、格納しておくとき、または持ち運ぶとき、杖１は、継ぎ目から分割されて、折り畳まれる。
【００２７】
杖１の本体５は、元竿１１、元上竿１２、先持竿１３、および先竿１４からなる。元竿１１、元上竿１２、先持竿１３、および先竿１４は、それぞれ、八竹、大名竹、黒竹、ゴマ竹、マルップシ、またはスズ竹等の竹から成形されている。元竿１１、元上竿１２、先持竿１３、および先竿１４を成形する竹には、それぞれ、節が含まれている。
【００２８】
元竿１１の端部のうち、一方の端部には、継口２１が形成されている。元上竿１２の端部のうち、一方の端部には、継口２２が形成され、他方の端部には、継口２３が形成されている。先持竿１３の端部のうち、一方の端部には、継口２４が形成され、他方の端部には、継口２５が形成されている。先竿１４の端部のうち、一方の端部には、継口２６が形成されている。
【００２９】
元竿１１および元上竿１２は、元竿１１の継口２１と元上竿１２の継口２２とにより継がれる。元上竿１２および先持竿１３は、元上竿１２の継口２３と先持竿１３の継口２４とにより継がれる。先持竿１３および先竿１４は、先持竿１３の継口２５と先竿１４の継口２６とにより継がれる。
【００３０】
本体５の外側は、漆塗りされている。漆塗りにより、本体が強化され、継口２１乃至継口２６が割れにくくなり、強化される。
【００３１】
元竿１１の端部のうち、継口２１とは反対側の端部には、握り手３１が形成されている。握り手３１は、木材、樹脂、またはアルミニウム合金など軽量で強度のある素材で成形されている。握り手３１は、元竿１１の延伸方向に対して、交差する方向に伸びる。使用者が手のひらで包み込むように握り手３１を握ることで、杖１の使用者が、身体を支えやすくなる。
【００３２】
元竿１１には、握り手３１に隣接して、取手部３２が形成されている。取手部３２には、節４１乃至節４７が配置されている。節４１乃至節４７によって、取手部３２の強度が増すと共に、節４１乃至節４７の凹凸により、握ったときの滑りを止めることができる。
【００３３】
先竿１４の端部のうち、継口２６とは反対側の端部には、先ゴム３３が装着されている。先ゴム３３は、天然ゴム、合成ゴム、または樹脂などの比較的柔軟性を有して、摩擦係数の大きい素材で円柱状に形成されている。先ゴム３３の円形の面の一方には、円柱状の凹部が形成されている。先ゴム３３の円形の面の他方は、閉じて面一に形成されている。先竿１４の端部が、先ゴム３３の円柱状の凹部に挿入される。先ゴム３３によって、地面を突いて身体を支えたとき、杖１の先端が滑ってしまうことを防止できる。
【００３４】
元竿１１の継口２１の近傍には、節４８が配置されている。
【００３５】
元上竿１２の継口２２の近傍には、節４９が配置されている。元上竿１２の継口２３の近傍には、節５０が配置されている。先持竿１３の継口２４の近傍には、節５１が配置されている。先持竿１３の継口２５の近傍には、節５２が配置されている。先竿１４のほぼ中央には、節５３が配置されている。
【００３６】
節４８、節４９、節５１、節５２、および節５３の内部は抜かれている。より詳細には、節４８、節４９、節５１、節５２、および節５３の内部は、節の無い部分の内面と面一となるようにくり抜かれている。
【００３７】
節４１乃至節５３に、アクリル樹脂、ウレタン樹脂、またはフェノール樹脂などの樹脂を含浸させることにより、節４１乃至節５３の強度を上げることができる。節４１乃至節５３には、他の部分に比較して、水を吸い上げて通すための導管が多数形成されているので、導管に樹脂を含浸させることで、他の部分の強度に比較して、節４１乃至節５３の強度が大きくなる。
【００３８】
元竿１１の部位のうち、節４７から継口２１までの部位である装飾部７１には、蒔絵が施されている。
【００３９】
元上竿１２の部位のうち、節４９を含み、継口２２から所定の長さまでの部位である装飾部７２には、蒔絵が施されている。元上竿１２の部位のうち、節５０から継口２３までの部位である装飾部７３には、蒔絵が施されている。先持竿１３の部位のうち、節５１を含み、継口２４から所定の長さまでの部位である装飾部７４には、蒔絵が施されている。先持竿１３の部位のうち、節５２を含み、継口２５から所定の長さまでの部位である装飾部７５には、蒔絵が施されている。先竿１４の部位のうち、節５３を含み、継口２５から先ゴム３３までの部位である装飾部７６には、蒔絵が施されている。
【００４０】
図２に示されるように、元竿１１の継口２１と元上竿１２の継口２２とは、芯８１によって、連結取外し自在とされる。芯８１は、竹材、木材、樹脂、またはアルミニウム合金などで筒状に形成され、元上竿１２の継口２２側の内部にすげ込まれている（はめ込まれる）。より詳細には、芯８１は、抜かれている節４９の内部にすげ込まれている（はめ込まれる）。また、芯８１は、元竿１１の継口２１側の内部に着脱自在に差し込み可能に形成される。より詳細には、芯８１は、元竿１１の継口２１側の内部に差し込まれたとき、抜かれている節４８の内部に挿通する。
【００４１】
元上竿１２の継口２３と先持竿１３の継口２４とは、芯８２によって、連結取外し自在とされる。芯８２は、竹材、木材、樹脂、またはアルミニウム合金などで筒状に形成され、先持竿１３の継口２４側の内部にすげ込まれている（はめ込まれる）。より詳細には、芯８２は、抜かれている節５１の内部にすげ込まれている（はめ込まれる）。また、芯８２は、元上竿１２の継口２３側の内部に着脱自在に差し込み可能に形成される。より詳細には、芯８２は、元上竿１２の継口２３側の内部に差し込まれたとき、抜かれていない節５０の内側（節５０の内壁）に接する。
【００４２】
先持竿１３の継口２５と先竿１４の継口２６とは、芯８３によって、連結取外し自在とされる。芯８３は、竹材、木材、樹脂、またはアルミニウム合金などで筒状に形成され、先竿１４の継口２６側の内部にすげ込まれている（はめ込まれる）。より詳細には、芯８３は、抜かれている節５３の内部にすげ込まれている（はめ込まれる）。また、芯８３は、先持竿１３の継口２５側の内部に着脱自在に差し込み可能に形成される。より詳細には、芯８３は、先持竿１３の継口２５側の内部に差し込まれたとき、抜かれている節５２の内部に挿通する。
【００４３】
さらに、紐９１は、本体５の内部および芯８１乃至芯８３の内部を通り、元竿１１、元上竿１２、先持竿１３、および先竿１４を連結する。紐９１は、天然ゴム、合成ゴム、または樹脂などの伸縮自在の素材で成形されている。紐９１の長さは、元竿１１、元上竿１２、先持竿１３、および先竿１４の長さより短くされ、これにより、紐９１は、本体５を縮める向きに付勢する。
【００４４】
元竿１１の継口２１と元上竿１２の継口２２とが外され、元上竿１２の継口２３と先持竿１３の継口２４とが外され、先持竿１３の継口２５と先竿１４の継口２６とが外されると、図３に示されるように、杖１を折り畳むことができる。
【００４５】
元竿１１の継口２１と元上竿１２の継口２２とが外されるとき、図４に示されるように、継口２１から芯８１が抜かれる。このとき、紐９１が、元竿１１の継口２１および芯８１の内部を通るので、元竿１１と元上竿１２とがばらばらにならない。
【００４６】
先持竿１３の継口２５と先竿１４の継口２６とが外されるとき、図５に示されるように、継口２５から芯８３が抜かれる。このとき、紐９１が、先持竿１３の継口２５および芯８３の内部を通るので、先持竿１３と先竿１４とがばらばらにならない。同様に、元上竿１２の継口２３と先持竿１３の継口２４とが外されるとき、継口２３から芯８２が抜かれる。このとき、紐９１が、元上竿１２の継口２３および芯８２の内部を通るので、元上竿１２と先持竿１３とがばらばらにならない。
【００４７】
このように、元竿１１、元上竿１２、先持竿１３、および先竿１４が互いに外されて、折り畳まれた状態でも、紐９１が、本体５の内部および芯８１乃至芯８３の内部を通っているので、元竿１１、元上竿１２、先持竿１３、および先竿１４がばらばらになることがなく、杖１を一体に取り扱うことができる。
【００４８】
また、紐９１が、本体５を縮める向きに付勢するので、元竿１１と先竿１４とを持って、杖１を一直線に伸ばした状態から力を緩めるだけで、元竿１１、元上竿１２、先持竿１３、および先竿１４を継いで、1本の棒状にすることができる。
【００４９】
なお、本体５の部分の部位のうち、内部に芯８１乃至芯８３のいずれかがすげ込まれるかまたは差し込まれる部位を、アラミド繊維やポリエチレン繊維などの樹脂繊維、ガラス繊維、または炭素繊維など竹に比較して強度の高い繊維で補強することができる。
【００５０】
また、竹竿の一例として杖１の構成について説明したが、杖１に限らず、本考案の竹竿は釣竿にも適用することができる。
【００５１】
なお、杖１の継数が３である場合を例に説明したが、任意の数の継数とすることができる。
【００５２】
このように、竹竿の一例である杖１は、竹から節を含み成形される部分が複数継がれてなる先細形状の本体５と、継口２２の一方の部分である元竿１１の内部にすげ込まれ、継口２１の他方の部分である元上竿１２の内部に着脱自在に差し込み可能な筒状に形成される芯８１と、本体５および芯８１の内部を通ることで本体５の各部分を連結し、本体５を縮める向きに付勢する伸縮自在の紐９１とからなる。
【００５３】
筒状に形成される芯８１が継口２２の一方の部分である元上竿１２の内部にすげ込まれ、継口２１の他方の部分である元元竿１１の内部に着脱自在に差し込み可能なので、杖１の強度の低下をより少なくすることができる。また、本体５を縮める向きに付勢する伸縮自在の紐９１が、本体５および芯８１の内部を通ることで本体５の各部分である元竿１１と元上竿１２とを連結するので、竹から節を含み成形される部分である元竿１１と元上竿１２とをより簡単に、継いだり、外したりできる。さらに、紐９１により、元竿１１または元上竿１２を紛失してしまうことがないので、袋に入れたりバンドで括ったりする必要がない。このように、強度の低下をより少なくしたまま、より簡単に、継いだり、外したりでき、持ち運びや収納の手間がより少なくできる。
【００５４】
芯８１を、一方の部分である元上竿１２の節４９の内部にすげ込むことができる。このようにすることで、強度の比較的高い節４９が力を受けるので、強度の低下をより少なくすることができる。
【００５５】
芯８１を、他方の部分である元元竿１１の内部に差し込まれたとき、元元竿１１の節４８の内部に挿通するようにできる。このようにすることで、強度の比較的高い節４８が力を受けるので、強度の低下をより少なくすることができる。
【００５６】
本体５の外側を漆塗りすることができる。漆塗りにより強化されるので、継ぎ目の強度の低下をより少なくすることができる。本体５の部分の部位のうち、内部に芯がすげ込まれるかまたは差し込まれる部位である装飾部７１および装飾部７２に蒔絵を施すことができる。蒔絵により装飾性を向上させることができる。
【００５７】
本体５の部分の部位のうち、内部に芯がすげ込まれるかまたは差し込まれる部位を繊維で補強することができる。繊維で補強されるので、継ぎ目の強度の低下をより少なくすることができる。
【００５８】
本体５の元側である取手部３２に、複数の節４１乃至節４７を配置できる。取手部３２の強度を増すと共に、節４１乃至節４７の凹凸により、滑りを止めることができる。
【００５９】
芯８１を、アルミニウム合金で成形することができる。より軽量にして、継ぎ目の強度の低下をより少なくすることができる。
【００６０】
本体の節４１乃至節５３に、樹脂を含浸させることができる。節４１乃至節５３は樹脂を吸い込みやすいので、樹脂によって補強をすることができ、継ぎ目の強度の低下をより少なくすることができる。
【００６１】
竹竿は杖１として用いることができる。竹竿は釣竿として用いることができる。
【００６２】
また、本考案の実施の形態は、上述した実施の形態に限定されるものではなく、本考案の要旨を逸脱しない範囲において種々の変更が可能である。
【符号の説明】
【００６３】
１  杖，  ５  本体，  １１  元竿，  １２  元上竿，  １３  先持竿，  １４  先竿，  ２１乃至２６  継口，  ３１  握り手，  ３２  取手部，  ３３  先ゴム，  ４１乃至５３  節，  ７１乃至７６  装飾部，  ８１乃至８３  芯，  ９１  紐
【図１】
0003197892.tif 000003
【図２】
0003197892.tif 000004
【図３】
0003197892.tif 000005
【図４】
0003197892.tif 000006
【図５】
0003197892.tif 000007